(57)【要約】【課題】  従来の画像表示装置は、各ライン毎に表示負荷率が異なるため電圧降下量も異なってしまい、同一の入力輝度信号を与えているのにも関わらず、明るさに違いが生じて表示画像の画質が低下することになっていた。【解決手段】  表示パネルにおける任意の画素に対して、同じ輝度レベルの信号を入力して表示させる場合において、当該画素を含むラインのライン負荷率が変わったときに１フィールド内でのサブフィールドの点灯パターンを変化させるように、すなわち、複数の画素を有する表示パネルを用いた画像表示装置において、１つの駆動電極に接続された複数の画素毎に、その負荷率を算出する負荷算出手段８２と、前記負荷算出手段の出力に基づいて、入力映像信号の輝度レベルの降下量を算出して補正する輝度補正手段８１とを備えるように構成する。【選択図】      図３
2006184843.tif 000002
【特許請求の範囲】
【請求項１】
表示パネルにおける任意の画素に対して、同じ輝度レベルの信号を入力して表示させる場合において、当該画素を含むラインのライン負荷率が変わったときに１フィールド内でのサブフィールドの点灯パターンを変化させることを特徴とする画像表示装置の駆動方法。
【請求項２】
複数の画素を有する表示パネルにおける所定数の画素毎または所定の表示領域毎に共通の駆動電極で駆動する画像表示装置の駆動方法であって、
前記共通の駆動電極毎に、表示される画像に応じて明るさに関連する関数量を算出し、
該算出された関数量に基づいて、前記共通の駆動電極により駆動される前記所定数の画素または所定の表示領域に表示される画像の明るさを補正することを特徴とする画像表示装置の駆動方法。
【請求項３】
請求項２に記載の画像表示装置の駆動方法において、前記関数量の算出は、入力された映像信号における前記共通の駆動電極により駆動される前記所定数の画素または所定の表示領域に対応する信号の平均輝度レベルを算出して行うことを特徴とする画像表示装置の駆動方法。
【請求項４】
請求項２に記載の画像表示装置の駆動方法において、前記関数量の算出は、入力された映像信号における前記共通の駆動電極により駆動される前記所定数の画素または所定の表示領域に対応する信号の平均輝度レベル、および、前記入力された映像信号における画面全体に対応する信号の全面平均輝度レベルを算出して行うことを特徴とする画像表示装置の駆動方法。
【請求項５】
請求項４に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＡとしたとき、前記補正量ｙは、ｙ＝Ａ・ｆ（ｘ）を満たすことを特徴とする画像表示装置の駆動方法。
【請求項６】
請求項４に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＣとしたとき、前記補正量ｙは、ｙ＝ｆ（Ｃ・ｘ）を満たすことを特徴とする画像表示装置の駆動方法。
【請求項７】
請求項２に記載の画像表示装置の駆動方法において、前記関数量の算出は、入力された映像信号における前記共通の駆動電極により駆動される前記所定数の画素または所定の表示領域に対応する信号の平均輝度レベル、前記入力された映像信号における画面全体に対応する信号の全面平均輝度レベル、および、前記画面全体に対応する信号における所定の階調よりも高い高階調率を算出して行うことを特徴とする画像表示装置の駆動方法。
【請求項８】
請求項７に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された第１の関数量をｆ１（ｘ）、第２の関数量をｆ２（ｘ）とし、且つ、前記高階調率に応じて変化する係数をＢとしたとき、前記補正量ｙは、ｙ＝Ｂ・ｆ１（ｘ）＋（１−Ｂ）・ｆ２（ｘ）を満たすことを特徴とする画像表示装置の駆動方法。
【請求項９】
請求項２に記載の画像表示装置の駆動方法において、前記関数量の算出は、入力された映像信号における前記共通の駆動電極により駆動される前記所定数の画素または所定の表示領域に対応する信号の平均輝度レベル、および、前記共通の駆動電極により駆動される前記所定数の画素または所定の表示領域における輝度レベルのばらつき量を算出して行うことを特徴とする画像表示装置の駆動方法。
【請求項１０】
請求項９に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、前記所定数の画素または所定の表示領域における輝度レベルのばらつき量をσ、および、前記ばらつき量σにより算出された関数量をｇ（σ）としたとき、前記補正量ｙは、ｙ＝ｆ（ｘ）・ｇ（σ）を満たすことを特徴とする画像表示装置の駆動方法。
【請求項１１】
請求項２に記載の画像表示装置の駆動方法において、前記関数量の算出は、入力された映像信号における前記共通の駆動電極により駆動される前記所定数の画素または所定の表示領域に対応する信号の電圧降下に関連するデータ量を算出して行うことを特徴とする画像表示装置の駆動方法。
【請求項１２】
請求項２に記載の画像表示装置の駆動方法において、前記明るさの補正は、入力された映像信号のゲインを調整して前記共通の駆動電極により駆動される前記所定数の画素または所定の表示領域に表示される画像の明るさを補正して行うことを特徴とする画像表示装置の駆動方法。
【請求項１３】
請求項２に記載の画像表示装置の駆動方法において、前記明るさの補正は、入力された映像信号のガンマ特性を調整して前記共通の駆動電極により駆動される前記所定数の画素または所定の表示領域に表示される画像の明るさを補正して行うことを特徴とする画像表示装置の駆動方法。
【請求項１４】
請求項２に記載の画像表示装置の駆動方法において、前記関数量の算出および前記明るさの補正は、自動電力制御が有効な場合と無効な場合で補正量を段階的または連続的に切り替えることを特徴とする画像表示装置の駆動方法。
【請求項１５】
請求項２に記載の画像表示装置の駆動方法において、前記関数量の算出は、入力された映像信号における前記共通の駆動電極により駆動される前記所定数の画素または所定の表示領域に対応する信号を所定の輝度の重みを有する複数のサブフィールドの組み合わせに変換した後の各サブフィールドのライン毎の負荷率を算出して行うことを特徴とする画像表示装置の駆動方法。
【請求項１６】
請求項２に記載の画像表示装置の駆動方法において、前記関数量の算出は、入力された映像信号における前記共通の駆動電極により駆動される前記所定数の画素または所定の表示領域に対応する信号を所定の輝度の重みを有する複数のサブフィールドの組み合わせに変換した後の各サブフィールドのライン毎の負荷率を算出して行うことを特徴とする画像表示装置。
【請求項１７】
複数の画素を有する表示パネルを用いた画像表示装置であって、
表示パネルにおける任意の画素に対して、同じ輝度レベルの信号を入力して表示させる場合において、当該画素を含むラインのライン負荷率を算出する負荷算出手段と、
前記負荷算出手段の出力に応じて、１フィールド内でのサブフィールドの点灯パターンを変化させて輝度を補正する補正手段と、を備えることを特徴とする画像表示装置。
【請求項１８】
複数の画素を有する表示パネルを用いた画像表示装置において、
１つの駆動電極に接続された複数の画素毎に、その負荷率を算出する負荷算出手段と、
前記負荷算出手段の出力に基づいて、入力映像信号の輝度レベルの降下量を算出して補正する輝度補正手段と、を備えることを特徴とする画像表示装置。
【請求項１９】
請求項１８に記載の画像表示装置において、前記負荷算出手段および前記輝度補正手段は、自動電力制御が有効な場合に活性化され、該自動電力制御が無効な場合には非活性とされることを特徴とする画像表示装置。
【請求項２０】
請求項１８に記載の画像表示装置において、前記負荷算出手段および前記輝度補正手段は、画面全体の負荷率または維持放電パルス数に応じて活性化が制御されることを特徴とする画像表示装置。
【請求項２１】
複数の画素を有する表示パネルにおける所定数の画素毎または所定の表示領域毎に共通の駆動電極で駆動する画像表示装置であって、
前記共通の駆動電極毎に、表示される画像に応じて明るさに関連する関数量を算出する算出手段と、
該算出手段の出力に基づいて、前記共通の駆動電極により駆動される前記所定数の画素または所定の表示領域に表示される画像の明るさを補正する補正手段と、を備えることを特徴とする画像表示装置。
【発明の詳細な説明】
【技術分野】
【０００１】
本発明は、画像表示装置およびその駆動方法に関し、特に、表示パネルにおける所定数の画素毎または所定の表示領域毎に共通の駆動電極で駆動する画像表示装置およびその駆動方法に関する。
【背景技術】
【０００２】
従来、平面型の画像表示装置として面放電を行うプラズマディスプレイパネル（ＰＤＰ：Plasma Display Panel）を使用したプラズマディスプレイ装置が実用化され、例えば、パーソナルコンピュータやワークステーション等のディスプレイ装置、平面型の壁掛けテレビジョンおよび広告や情報等を表示するための装置として使用されている。また、携帯電話やＰＤＡ（Personal Digital Assistants）の表示装置としてＥＬパネル等の平面型の画像表示装置も利用されている。これらのプラズマディスプレイ装置およびＥＬパネル等の平面型の画像表示装置は、複数の画素を有する表示パネルにおける走査方向の１ラインの画素に対して共通の駆動電極で駆動するようになっている。なお、本発明は、走査方向の１ラインの画素に対して共通の駆動電極で駆動する画像表示装置に限定されず、複数の画素を有する表示パネルにおける所定数の画素毎を共通の駆動電極で駆動する画像表示装置や所定の表示領域毎を共通の駆動電極で駆動する画像表示装置であってもよい。
【０００３】
図１は従来の画像表示装置の一例としてのプラズマディスプレイ装置を概略的に示すブロック図であり、三電極面放電ＡＣ型プラズマディスプレイ装置の一例を示すものである。図１において、参照符号１は画像表示装置（プラズマディスプレイ装置）、２は表示パネル（プラズマディスプレイパネル：ＰＤＰ）、３はアドレスデータドライバ回路部、４はＸドライバ回路部、５はＹドライバ回路部、６はスキャンドライバ回路部、そして、７は制御回路部を示している。
【０００４】
プラズマディスプレイ装置１は、ＰＤＰ２と、該ＰＤＰ２の各表示セルを駆動するためのＸドライバ回路部４，Ｙドライバ回路部５，アドレスデータドライバ回路部３およびスキャンドライバ回路部６と、これら各ドライバ回路部３〜６を制御する制御回路部７とを備えている。
【０００５】
制御回路部７は、例えば、ＴＶチューナやコンピュータ等の外部装置からのＲ（赤），Ｇ（緑），Ｂ（青）の３原色の映像信号が入力される表示データ制御部７１、および、各種の同期信号（ドットクロック信号ＣＬＫ，ブランキング信号ＸＢＬＡＮＫ，水平同期信号ＸＨsync，垂直同期信号ＸＶsync）が入力されるタイミング発生部７２を備えている。そして、制御回路部７（表示データ制御部７１およびタイミング発生部７２）は、上記映像信号（Ｒ，Ｇ，Ｂ）および各種の同期信号（ＣＬＫ，ＸＢＬＡＮＫ，ＸＨsync，ＸＶsync）からそれぞれのドライバ回路部３〜６に適した制御信号を出力して所定の画像表示を行うようになっている。なお、例えば、所望の階調表示を行うために、１フィールドをそれぞれ所定の輝度の重みを有する複数のサブフィールドの組み合わせに変換するのは、表示データ制御部７１において行われる。
【０００６】
図２は従来の画像表示装置における課題を説明するための図であり、例えば、画面全体が灰色（例えば、２５６段階の輝度レベルにおける輝度レベル１３５）で、一部の領域（Ｐ２１，Ｐ２２）だけが黒色（輝度レベル０）となる画像を表示した場合を概念的に示すものである。
【０００７】
図２に示されるように、従来の画像表示装置（例えば、プラズマディスプレイ装置）において、画面全体が輝度レベル１３５で一部の領域Ｐ２１およびＰ２２だけが輝度レベル０となる画像を表示した場合、そのライン（領域Ｐ２１およびＰ２２に対応する画素を含む表示ライン）と、他のライン（輝度レベル１３５となる画素だけを有する表示ライン）との間で電圧降下の状態が異なり、表示画像に明るさの違いが生じて画質が低下することになる。
【０００８】
具体的に、例えば、輝度レベル０の領域Ｐ２１およびＰ２２に対応する画素を含むラインでは、他の輝度レベル１３５となる画素だけを有するラインよりも表示率が小さくなるため、電圧降下の状態も小さくなる。その結果、図２において、例えば、領域Ｐ２１およびＰ２２に対応する画素を含むラインでは、領域Ｐ３１，Ｐ３２，Ｐ３３が他の領域（領域Ｐ１）よりも明るくなって、表示画像にムラ（輝度差：明るさの違い）が生じることになってしまう。
【０００９】
さらに、輝度レベル０の領域Ｐ２１およびＰ２２の大きさが矢印方向（横方向）で変化することにより、領域Ｐ３１，Ｐ３２，Ｐ３３の明るさも変化する。すなわち、領域Ｐ２１およびＰ２２の大きさが拡大すれば電圧降下もさらに小さくなって、領域Ｐ２１およびＰ２２と共通の電極により駆動される（同じラインの）領域Ｐ３１，Ｐ３２およびＰ３３はより一層明るくなり、逆に、領域Ｐ２１およびＰ２２の大きさが縮小すれば電圧降下は大きく（他の表示ラインの電圧降下に近く）なって、領域Ｐ２１およびＰ２２と共通の電極により駆動される領域Ｐ３１，Ｐ３２およびＰ３３は暗く（他の領域Ｐ１の明るさに近く）なる。
【００１０】
この問題は、黒白の表示画像における輝度の問題だけでなく、カラーの表示画像における色合いのムラにも直結するものであり、本明細書では、このような各色（例えば、Ｒ，Ｇ，Ｂ）の色ムラ等も含めて広い意味で表示画像の明るさの違いと称するものとする。また、本明細書において、画素とは、例えば、カラー表示パネルにおけるＲ，Ｇ，Ｂ個々のセル、および、１組のＲ，Ｇ，Ｂのセルで構成したピクセルの両方を含んでいる。
【００１１】
なお、図２では、共通の駆動電極（例えば、Ｘ電極およびＹ電極）がスキャン方向の所定数の画素（１ラインの画素）毎に設けられている場合を示しているが、この共通の駆動電極は、スキャン方向の１ライン毎に設けられているものに限定されず所定の表示領域毎に設けられている場合には、その共通の駆動電極により駆動される領域毎に表示画像の明るさの違いが生じることになる。
【００１２】
上述したように、共通の電極により駆動される所定数の画素毎（１ラインの画素毎）の明るさの違い（輝度差）は、例えば、プラズマディスプレイ装置においては、維持放電電流（サスティン電流）により引き起こされるＸ電極およびＹ電極上の電圧降下が根本原因であり、従来のプラズマディスプレイ装置は、通常、バスインピーダンスおよびサスティン電流そのものを低減させることで、各ライン間における明るさの違いの低減（解消）を図っていた。
【００１３】
また、従来、ライン毎の表示データ量に依存したライン間の輝度差を防止するために、各ライン毎に検出した表示データ量を計数してライン毎に維持放電の回数（サスティンのパルス数）を制御するものが提案されている（例えば、特許文献１参照）。この方法は、原理的に共通の電極毎に生じる輝度差、フリッカおよび階調リニアリティに対して非常に大きな効果が期待できるが、十分な効果を得るためには各サブフィールド（ＳＦ）毎に制御を行うことが必要である。
【００１４】
【特許文献１】特開平０９−０６８９４５号公報（全体）
【発明の開示】
【発明が解決しようとする課題】
【００１５】
上述したように、従来の画像表示装置（プラズマディスプレイ装置）は、例えば、バスインピーダンスおよびサスティン電流そのものを低下させることで、各ライン間における明るさの違いの低減を図っていた。
【００１６】
しかしながら、バスインピーダンスおよびサスティン電流を低減させたとしても、バスインピーダンスやサスティン電流を完全になくすことはできず、共通の電極により駆動される所定数の画素毎の明るさの違いを十分に解消できるものとはいえなかった。この問題は、近年の表示パネルの大型化および高精細化の要求に伴って益々大きなものとなって来ている。
【００１７】
また、従来の各ライン毎に検出した表示データ量を計数してライン毎にサスティンのパルス数を制御するものは、十分な効果を得るためには各サブフィールド毎にサスティンのパルス数の制御を行わなければならず、専用のドライバ回路が必要となるだけでなく、共通の電極毎のサスティンのパルス数の計算回路およびその計数結果をドライバ回路に供給する回路等が必要になるため、回路規模が大きくなり、また、費用の面でも画像表示装置の価格を押し上げることになってしまうという課題があった。
【００１８】
本発明は、上述した従来の画像表示装置が有する課題に鑑み、共通の駆動電極毎に駆動される所定数の画素毎または所定の表示領域毎で表示される画像によって生じる明るさの違いを補正して表示画像の画質を向上させることのできる画像表示装置およびその駆動方法の提供を目的とする。すなわち、本発明は、共通の電極毎の映像信号における表示内容に依存して生じる明るさの違い（輝度差）を低減（解消）することに特化するものであり、非常に簡単な回路で特別なドライバ回路も必要とすることなく、共通の駆動電極毎に駆動される所定数の画素毎または所定の表示領域毎で表示される画像によって生じる明るさの違いを補正して表示画像の画質を向上させるものである。
【課題を解決するための手段】
【００１９】
本発明の第１の形態によれば、表示パネルにおける任意の画素に対して、同じ輝度レベルの信号を入力して表示させる場合において、当該画素を含むラインのライン負荷率が変わったときに１フィールド内でのサブフィールドの点灯パターンを変化させることを特徴とする画像表示装置の駆動方法が提供される。
【００２０】
本発明の第２の形態によれば、複数の画素を有する表示パネルにおける所定数の画素毎または所定の表示領域毎に共通の駆動電極で駆動する画像表示装置の駆動方法であって、前記共通の駆動電極毎に、表示される画像に応じて明るさに関連する関数量を算出し、該算出された関数量に基づいて、前記共通の駆動電極により駆動される前記所定数の画素または所定の表示領域に表示される画像の明るさを補正することを特徴とする画像表示装置の駆動方法が提供される。
【００２１】
本発明の第３の形態によれば、複数の画素を有する表示パネルを用いた画像表示装置であって、表示パネルにおける任意の画素に対して、同じ輝度レベルの信号を入力して表示させる場合において、当該画素を含むラインのライン負荷率を算出する負荷算出手段と、前記負荷算出手段の出力に応じて、１フィールド内でのサブフィールドの点灯パターンを変化させて輝度を補正する補正手段と、を備えることを特徴とする画像表示装置が提供される。
【００２２】
本発明の第４の形態によれば、複数の画素を有する表示パネルを用いた画像表示装置において、１つの駆動電極に接続された複数の画素毎に、その負荷率を算出する負荷算出手段と、前記負荷算出手段の出力に基づいて、入力映像信号の輝度レベルの降下量を算出して補正する輝度補正手段と、を備えることを特徴とする画像表示装置が提供される。
【００２３】
本発明の第５の形態によれば、複数の画素を有する表示パネルにおける所定数の画素毎または所定の表示領域毎に共通の駆動電極で駆動する画像表示装置であって、前記共通の駆動電極毎に、表示される画像に応じて明るさに関連する関数量を算出する算出手段と、該算出手段の出力に基づいて、前記共通の駆動電極により駆動される前記所定数の画素または所定の表示領域に表示される画像の明るさを補正する補正手段と、を備えることを特徴とする画像表示装置が提供される。
【発明の効果】
【００２４】
本発明によれば、表示パネルにおける所定数の画素毎または所定の表示領域毎に共通の駆動電極で駆動する画像表示装置において、大きな回路規模の増大および製品コストの増加を伴うことなく、共通の駆動電極毎に駆動される所定数の画素毎または所定の表示領域毎で表示される画像によって生じる明るさの違いを補正して表示画像の画質を向上させることができる。
【発明を実施するための最良の形態】
【００２５】
本発明は、表示デバイスを駆動する共通の電極毎に、表示される表示内容に応じた所定の関数量を求め、その関数量に基づいて各共通の電極毎に駆動される表示デバイスの明るさを制御する。
【００２６】
以下、添付図面を参照して本発明に係る画像表示装置およびその駆動方法の実施例を詳述する。
【実施例】
【００２７】
図３は本発明に係る画像表示装置の一実施例としてのプラズマディスプレイ装置を概略的に示すブロック図であり、三電極面放電ＡＣ型プラズマディスプレイ装置の一例を示すものである。図３において、参照符号１０は画像表示装置、２は表示パネル（ＰＤＰ）、３はアドレスデータドライバ回路部、４はＸドライバ回路部、５はＹドライバ回路部、６はスキャンドライバ回路部、７は制御回路部、そして、８は補正処理回路部を示している。
【００２８】
図３と前述した図１との比較から明らかなように、概略すると、本実施例の画像表示装置（プラズマディスプレイ装置）１０は、従来のプラズマディスプレイ装置１に対して補正処理回路部８を追加したものに相当する。
【００２９】
すなわち、本実施例のプラズマディスプレイ装置１０は、ＰＤＰ２と、該ＰＤＰ２の各表示セルを駆動するためのＸドライバ回路部４，Ｙドライバ回路部５，アドレスデータドライバ回路部３およびスキャンドライバ回路部６と、これら各ドライバ回路部３〜６を制御する制御回路部７と、共通の駆動電極毎に駆動される所定数の画素毎または所定の表示領域毎で表示される画像によって生じる明るさの違いを補正する補正処理回路部８とを備えている。
【００３０】
補正処理回路部８は、例えば、ＴＶチューナやコンピュータ等の外部装置からのＲ（赤），Ｇ（緑），Ｂ（青）の３原色の映像信号が入力される負荷算出手段（算出手段）８２、および、上記映像信号（Ｒ，Ｇ，Ｂ）および負荷算出手段８２の出力信号が入力される輝度補正手段８１を備えている。
【００３１】
負荷算出手段８２は、共通の駆動電極毎に、表示される画像に応じて明るさに関連する関数量を算出（検出）するものであり、また、輝度補正手段８１は、負荷算出手段８２の出力に基づいて、共通の駆動電極により駆動される所定数の画素（１ラインの画素）に表示される画像の明るさを補正（制御）するものである。なお、入力される信号は輝度信号であってもよいのはもちろんである。
【００３２】
すなわち、負荷算出手段８２は、例えば、１ラインの画素に対応する信号の平均輝度レベルを算出するか、或いは、１ラインの画素に対応する信号の電圧降下に関連するデータ量を算出する。また、輝度補正手段８１（補正量算出手段８１３）は、負荷算出手段８２の出力に従って、例えば、略線形の特性、非線形の特性（２次特性）または略線形の特性の組み合わせ関数（折線特性）により、１ラインの画素に対応する映像信号のゲインを調整するか、或いは、１ラインの画素に対応する映像信号のガンマ特性を調整して画像の明るさを補正する。
【００３３】
制御回路部７は、映像信号（Ｒ，Ｇ，Ｂ）が入力される表示データ制御部７１、および、各種の同期信号（ＣＬＫ，ＸＢＬＡＮＫ，ＸＨsync，ＸＶsync）が入力されるタイミング発生部７２を備えている。そして、制御回路部７は、上記映像信号および各種の同期信号からそれぞれのドライバ回路部３〜６に適した制御信号を出力して所定の画像表示を行うようになっている。なお、例えば、所望の階調表示を行うために、１フィールドをそれぞれ所定の輝度の重みを有する複数のサブフィールドの組み合わせに変換するのは、表示データ制御部７１において行われる。
【００３４】
図４は図３に示す画像表示装置における輝度補正手段および負荷算出手段を示すブロック図である。
【００３５】
図４に示されるように、輝度補正手段８１は、Ｒ，Ｇ，Ｂの各原色映像信号毎に設けられた遅延手段８１１、補正手段８１２、および、負荷算出手段８２の出力を受け取って補正関数を算出する補正量算出手段８１３を備えている。
【００３６】
負荷算出手段８２は、例えば、各原色映像信号Ｒ，Ｇ，Ｂを含め、関数量として次の式（１）を演算し、１ライン毎の負荷を算出して補正量算出手段８１３に出力する。ここで、Ｘiは共通の電極によって駆動される１ラインの各セルの明るさを示し、また、Ｎは１ラインの全セル数を示している。すなわち、Ｒ，Ｇ，Ｂを各々独立してその合計を数えるものとする。
【００３７】
【数１】
2006184843.tif 000003
【００３８】
補正手段８１２は、例えば、各原色映像信号Ｒ，Ｇ，Ｂ毎に設けられた乗算器を備え、補正量算出手段８１３で算出された補正関数（補正量）から求めた係数（ゲイン）を乗算して補正された映像信号Ｒ’，Ｇ’，Ｂ’を表示データ制御部７２へ出力する。例えば、［ゲイン］＝１−［補正量］とする。或いは、補正手段８１２は、例えば、ルックアップテーブル（ＬＵＴ：メモリ手段）を備え、補正量算出手段８１３で算出された補正量に対応する補正された映像信号Ｒ’，Ｇ’，Ｂ’を出力する。
【００３９】
遅延手段８１１は、負荷算出手段８２で関数量を求める際にかかる遅延を調整するためのものであり、例えば、映像信号Ｒ，Ｇ，Ｂを必要に応じて例えば１〜２水平同期期間に相当する時間だけ遅延して出力する。
【００４０】
図５および図６は本発明に係る画像表示装置の駆動方法の原理を説明するための図であり、図５（ａ）は補正なしの場合、図５（ｂ）は補正が最適な場合、図５（ｃ）は過補正の場合を示し、図６は各場合におけるライン間の輝度差と負荷率（平均輝度レベル）との関係を示している。
【００４１】
図２を参照して説明したように、従来のプラズマディスプレイ装置に対して、例えば、画面全体が輝度レベル１３５（灰色）で一部の領域Ｐ２１およびＰ２２だけが輝度レベル０（黒色）となる画像を表示した場合、領域Ｐ２１およびＰ２２に対応する画素を含むラインの領域Ｐ３１，Ｐ３２，Ｐ３３が他の領域Ｐ１よりも明るくなって、表示画像にムラが生じていた（図５（ａ）参照）。これは、ライン間で負荷率が異なると駆動に使用する共通の電極（例えば、ＸおよびＹ電極）における電圧降下の状態も異なるために表示される画像の明るさが異なる（輝度差が生じる）ためである。
【００４２】
図６に示されるように、本実施例の画像表示装置は、負荷率（平均輝度レベル）が小さいラインに対しては大きな補正（輝度を大きく下げる補正）を行い、負荷率が大きいラインに対しては小さな補正（輝度を小さく下げる補正）を行うことにより、各ライン（共通電極：ＸおよびＹ電極）毎の負荷率に伴う電圧降下の違いに関わらず、均一な明るさの表示を行うものである（図５（ｂ）参照）。なお、図５（ｃ）は過補正の場合の表示画像を示すものであり、補正が大きすぎると、領域Ｐ３１，Ｐ３２，Ｐ３３が他の領域Ｐ１よりも暗くなってしまう。
【００４３】
本実施例の画像表示装置は、図５（ａ）で示されるような表示画像を、輝度補正手段８１および負荷算出手段８２を備える補正処理回路部８により各ライン毎に画像信号を補正して図５（ｂ）で示されるような負荷率に関係なくライン間の輝度差をなくした表示画像として表示するものである。
【００４４】
具体的に、例えば、図５（ａ）（前述した図２に対応）に示されるように、画面全体が輝度レベル１３５で一部の領域Ｐ２１およびＰ２２だけが輝度レベル０となる画像を表示した場合、そのライン（領域Ｐ２１およびＰ２２に対応する画素を含む表示ライン）と、他のライン（輝度レベル１３５となる画素だけを有する表示ライン）との間で電圧降下の状態が異なり、表示画像に明るさの違いが生じる。
【００４５】
そこで、本実施例では、例えば、領域Ｐ２１およびＰ２２に対応する画素を含む表示ラインで輝度レベル１３５を表示する画素（領域Ｐ３１，Ｐ３２，Ｐ３３の画素）に対して、ライン負荷率に応じて１フィールド内でのサブフィールドの点灯パターンを変化させるようになっている。
【００４６】
図７は本発明に係る画像表示装置の駆動方法の一例を説明するための図である。
具体的に、図７に示されるように、領域Ｐ３１，Ｐ３２，Ｐ３３の画素に対しては、本来の輝度レベル１３５の点灯パターン（ＳＦ８およびＳＦ３〜ＳＦ１を点灯し、ＳＦ７〜ＳＦ４を非点灯）から、周囲の領域の輝度とほぼ同じ明るさとなる輝度レベル１２８の点灯パターン（ＳＦ８を点灯し、ＳＦ７〜ＳＦ１を非点灯）に変化させるようになっている。すなわち、同一階調入力に対して領域Ｐ１と領域３１，Ｐ３２，Ｐ３３とで点灯パターンを変えることによって輝度差を吸収するようになっている。換言すると、同じ輝度レベルの信号を入力して表示させる場合において、ライン負荷率に応じて１フィールド内でのサブフィールドの点灯パターンを変化させるようになっている。これにより、図５（ｂ）に示されるように、領域Ｐ１と領域３１，Ｐ３２，Ｐ３３とは同じ明るさになる。
【００４７】
図８は図４に示す画像表示装置における補正量算出手段８１３で用いるライン負荷（平均輝度レベル）と補正量の特性例を説明するための図であり、図８（ａ）は線形の特性を示し、図８（ｂ）は非線形の特性を示し、そして、図８（ｃ）は線形の特性の組み合わせ関数を示している。なお、入出力の最大値は１で正規化されている。
【００４８】
前述したように、補正量算出手段８１３は、負荷算出手段８２の出力に従って、例えば、略線形の特性（図８（ａ）参照）、非線形の特性（図８（ｂ）参照）または略線形の特性の組み合わせ関数（図８（ｃ）参照）により、１ラインの画素に対応する映像信号の補正を行う。
【００４９】
ここで、補正量算出手段８１３において、図８（ａ）に示すような略線形の特性を適用すると、回路規模が小さく容易に構成することが可能になる。また、補正量算出手段８１３において、図８（ｂ）に示すような非線形の特性（例えば、２次の特性）を適用すると、回路規模は線型の場合より大きくなるものの、補正精度を高くすることが可能になる。さらに、補正量算出手段８１３において、図８（ｃ）に示すような略線形の特性の組み合わせ関数を適用すると、回路規模を比較的に小さくし、補正精度も高くし、そして、補正の自由度も高くすることが可能になる。なお、図８（ｃ）は、２つの線型特性を組み合わせた場合（折線特性）を示しており、平均輝度レベルが値ＬＡを境として各線型特性の切り換えが行われるようになっている。なお、略線形の特性の組み合わせとしては、２つの線型特性に限定されないのはいうまでもない。
【００５０】
補正手段８１２は、外部から入力される映像信号Ｒ，Ｇ，Ｂに対して補正量算出手段８１３の出力（補正係数）から求めた係数を乗算して補正された映像信号Ｒ’，Ｇ’，Ｂ’を出力する乗算器として構成することもできるが、予め補正量算出手段８１３の出力と適切に補正された映像信号Ｒ’，Ｇ’，Ｂ’との関係を記憶させたルックアップテーブル（ＬＵＴ）として構成することもできる。
【００５１】
以上において、上述した本発明の共通電極毎の明るさ補正（例えば、各共通電極の負荷率を算出してその共通電極で表示する映像信号の補正）は、例えば、表示される映像内容に応じて、段階的または連続的に補正量を変えて補正することができる。
【００５２】
図９は、本発明を、自動電力制御機能を有する画像表示装置に適用した場合の例を説明するための図である。
【００５３】
図９に示されるように、従来、例えば、プラズマディスプレイ装置においては、映像内容に応じてピーク電力が所定レベルを超えないように制御する自動電力制御（Automatic Power Control：ＡＰＣ）回路が設けられている（例えば、特開平８−３０５３２１号公報参照）。
【００５４】
本発明は、このようなＡＰＣ回路が設けられている画像表示装置に対して適用することができる。すなわち、上述した本発明に係る共通電極毎の明るさ補正処理（図３における負荷算出手段８２および輝度補正手段８１）を、ＡＰＣ回路が有効な場合（電力制御を行う場合：図９中、点Ｌよりも右側の場合）にオン（活性化）とし、ＡＰＣ回路が無効な場合（電力制御を行わない場合：図９中、点Ｌよりも左側の場合）にはオフ（非活性）するようにしてもよい。また、本発明に係る共通電極毎の明るさ補正処理のオン／オフ制御は、複数の閾値を設けて制御することもできる。すなわち、オン／オフの２段階ではなく、補正量を段階的または連続的に制御することも可能である。これにより、ピーク輝度の低下を防ぐことが可能になる。
【００５５】
さらに、負荷算出手段および輝度補正手段は、画面全体の負荷率または維持放電パルス数に応じて活性化が制御されるように構成することもできる。
【００５６】
また、本発明の共通電極毎の明るさ補正は、画像表示装置が使用される用途に応じて、例えば、家庭用のテレビ放送を表示するために使用されるのか、或いは、コンピュータの表示端末として使用されるのか、すなわち、輝度差の大きなウィンドウ等の特定のパターンを表示する場合が多いか否か等の使用される用途に応じて段階的または連続的にオン／オフとして補正することもできる。また、不要な場合（輝度差を認識し難い映像）にはオフとし、効果の高い場合に限定してオンとすることもできる。
【００５７】
図１０は本発明に係る画像表示装置のさらなる改良を説明するための図であり、図１０（ａ）および図１０（ｂ）は係数Ａおよびライン間の輝度差の補正の関係を説明するためのものであり、図１０（ｃ）は具体的な表示画像の例を示すものである。図１０（ａ）および図１０（ｂ）において、縦軸はライン間の輝度差（％）を示し、横軸はライン平均輝度レベルｘを示し、さらに、Ｒはライン間で輝度差が発生する可能性のある領域を示し、そして、ｆ（ｘ）は補正量を表す補正関数を示している。ここで、補正関数ｆ（ｘ）は、ｆ（ｘ）＝Ａ（１−ｘ）とする。
【００５８】
ところで、上述したライン平均輝度レベルｘは、例えば、輝度レベルが５０％で表示率が１００％の部分を有する場合と、輝度レベルが１００％で表示率が４０％の部分，輝度レベルが０％で表示率が４０％の部分および輝度レベルが１００％で表示率が２０％の部分を有する場合とでは、ライン平均輝度レベルｘは共に０．５であるが電圧降下の大きさは異なる。図１０（ｃ）は上述の表示例を表示画面で示したものである。
【００５９】
すなわち、図１０（ｃ）に示されるように、表示画面上部（輝度レベル５０％，表示率１００％）の場合の電圧降下は大きく、一方、画面下部（輝度レベル１００％，表示率４０％）＋（輝度レベル０％，表示率４０％）＋（輝度レベル１００％，表示率２０％）の場合の電圧降下は小さくなる。従って、画面右側２０％の部分の輝度は、画面上部よりも画面下部の方が相対的に大きくなる。
【００６０】
これは、たとえライン平均輝度レベルｘが同じであっても、電圧降下の割合は映像内容に依存して異なるからである。ここで、補正関数ｆ（ｘ）は、ｆ（ｘ）＝Ａ（１−ｘ）の直線上しか動くことができないため、映像内容によって補正量の過不足が生じることになる。
【００６１】
このような場合、過剰補正等の副作用を避けるために、補正量は、例えば、ライン間の最大輝度差の５０％（図１０（ａ）におけるＹ切片Ａ’、すなわち、ｆ（ｘ）＝０．５（１−ｘ））程度に設定する。これにより、図１０（ｂ）に示されるように、図１０（ａ）の０〜＋１００％のライン間の輝度差は、約−５０％〜＋５０％のライン間の輝度差（絶対値としては０〜＋５０％）に置き換わることになり、ライン間の輝度差の量をほぼ半減する効果ある。これは、通常の映像に対しては適切な設定である。なお、このような係数Ａの設定は、例えば、図８（ａ）に示すような直線的な補正関数に限定されず、図８（ｂ）や図８（ｃ）等の様々な形状の補正関数（補正曲線）に対して幅広く適用され得る。れは、以下に説明する図１１〜図１４においても同様であり、また、ｆ（ｘ）は、ｆ（ｘ）＝Ａ（１−ｘ）以外の様々な関数、或いは、関係式であってもよい。
【００６２】
また、ライン間の輝度差が大きくてライン間での輝度の差が目立ち易い特定の映像に対しては、例えば、図１０（ａ）におけるＹ切片Ａ”、すなわち、ライン間の輝度差の最大値の線付近だけを検出し、限定的に補正量を拡大することができる。具体的に、例えば、表示する画面全体の負荷（全面平均輝度レベルＬ）に従って切り替え条件を決めてパラメータ（係数Ａ）をＡ’からＡ”へ移動制御することができる。
【００６３】
図１１は本発明に係る画像表示装置の駆動方法の第１実施例を説明するための図であり、図１１（ａ）はライン平均輝度レベル（ｘ）と補正量（ｙ）との関係を示し、図１１（ｂ）は全面平均輝度レベル（Ｌ）と係数（Ａ）との関係を示している。
【００６４】
図１１（ａ）に示されるように、本変形例では、図１０を参照して示したｆ（ｘ）＝Ａ（１−ｘ）における係数Ａを全面平均輝度レベル（入力された映像信号における画面全体に対応する信号の平均の輝度レベル）Ｌに基づいて任意に設定するものである。なお、係数Ａは、０≦Ａ≦１の範囲にあり、例えば、Ａ１２＝１，Ａ１１＝０．５，Ａ１０＝０である。
【００６５】
図１１（ａ）における基準補正ｆ（ｘ）は全面平均輝度レベルＬが最大値（例えば、画面の全ての画素で最大階調）Ｌ１２の場合のものであり、補正量ｙは、ｙ＝Ａ１２・（１−ｘ）となる。そして、例えば、全面平均輝度レベルＬがＬ１２からＬ１１へ変化すると、係数ＡはＡ１２からＡ１１へ変化し、補正量ｙは、ｙ＝Ａ１１・ｆ（ｘ）、すなわち、ｙ＝０．５（１−ｘ）と小さくなる。
【００６６】
このように、本第１実施例の画像表示装置の駆動方法において、係数Ａは全面平均輝度レベルＬに従って設定され、例えば、全体的に暗い映像の場合（Ｌが小さい場合）には、補正量を下げることで過補正を防止するようになっている。なお、全面平均輝度レベルＬは、例えば、前述したＡＰＣ回路により得られた値をそのまま利用するか、或いは、負荷算出手段８２により得られた１ライン毎の負荷を１画面分全て加算して求め利用することができる。全面平均輝度レベルは、画面全体の表示負荷を求めているものであって、サス数（サスティンのパルス数）と密接な関係があり、サス数または画面全体の表示負荷と関連のある他のパラメータで代用することも可能である。
【００６７】
図１２は本発明に係る画像表示装置の駆動方法の第２実施例を説明するための図であり、図１２（ａ）はライン平均輝度レベル（ｘ）と補正量（ｙ）との関係を示し、図１２（ｂ）は全面平均輝度レベル（Ｌ）と係数（Ｃ）との関係を示している。
【００６８】
ところで、全体的に暗い映像では、ライン平均輝度ｘの可変範囲が狭いため全体的にゲイン低下が生じてライン間の輝度差を十分に改善することができない。そこで、本第２実施例の画像表示装置の駆動方法では、ライン平均輝度ｘに対して係数Ｃ（≧１）を掛けることでダイナミックレンジを拡大する。
【００６９】
具体的に、例えば、１ライン全てのセルに対して、信号振幅が１００％で表示率が１００％ならばライン平均輝度レベルｘは、ｘ＝１を取り得るが、例えば、信号振幅が６０％だと、たとえ表示率が１００％でもライン平均輝度レベルｘは、ｘ＞０．６となることはない。そこで、ｘに対して係数Ｃ（例えば、Ｃ＝Ｃ２０≒１．７）を乗算することにより、Ｃ・ｘは、Ｃ・ｘ＝１まで取ることが可能になる。すなわち、本第２実施例の画像表示装置の駆動方法は、係数Ｃを全面平均輝度レベルＬに基づいて設定し、補正量ｙを、ｙ＝ｆ（Ｃ・ｘ）から求め、拡大したダイナミックレンジにおいて輝度補正を行うものである。ただし、Ｃ・ｘ＞１の場合は、Ｃ・ｘ＝１とする。
【００７０】
図１３は本発明に係る画像表示装置の駆動方法の第３実施例の変形例を説明するための図であり、図１３（ａ）はライン平均輝度レベル（ｘ）と補正量（ｙ）との関係を示し、図１３（ｂ）は高階調率Ｍ（基準値よりも高輝度な画素の全画素に対する割合を全面平均輝度レベルで割った値）と係数（Ｂ）との関係を示している。
【００７１】
ところで、例えば、アニメーションのように階調レベルの高い画素が大半を占めるような映像（高階調率が大きい映像）では、ライン間の輝度差が目立ち易く、また、前述したような補正による制御を行っても副作用が少ない。そこで、本第３実施例の画像表示装置の駆動方法では、このようなアニメーション等の高階調率が大きい映像に対しては、補正量ｙを特別な補正に切り替えることで最大限の効果を得ようとするものである。
【００７２】
本第３実施例の画像表示装置の駆動方法では、係数Ｂを、高階調率Ｍに基づいて設定する。そして、補正量ｙを、Ｍに基づいて設定した係数Ｂを使用して、ｙ＝Ｂ・ｆ１（ｘ）＋（１−Ｂ）・ｆ２（ｘ）から求めて輝度補正を行う。なお、この例では、ｆ１（ｘ）はＡ１（１−ｘ）であり、ｆ２（ｘ）はＡ２（１−Ｃ・ｘ）である。
【００７３】
すなわち、全画面において、高階調率Ｍを求め、例えば、図１３（ｂ）において、Ｍの値がＭ１１を超える場合には、係数Ｂを１として、ｙ＝ｆ１（ｘ）による特別補正を行って、ライン間の輝度差を十分に補正するようになっている。ここで、規準値よりも高輝度な画素の検出としては、例えば、輝度重みが最大のサブフィールドを使用するか否かを検出することにより求めることができる。
【００７４】
図１４は本発明に係る画像表示装置の駆動方法の第４実施例を説明するための図であり、ライン平均輝度レベル（ｘ）および１ライン内の各画素（セル）の輝度バラツキを表す量（ライン偏差：σ）と補正量（ｙ）との関係を示すものである。
【００７５】
すなわち、本第４実施例の画像表示装置の駆動方法では、補正量ｙを、ライン平均輝度レベルｘおよび偏差σの２次元関数（ｙ＝ｈ（ｘ，σ）＝ｆ（ｘ）・ｇ（σ））で定義する。
【００７６】
ところで、例えば、ライン平均輝度レベルｘが同一でも、輝度レベルが５０％で全ての画素が表示される場合（表示率１００％）と、輝度レベルが１００％で５０％の画素が表示される場合（表示率５０％）とでは電圧降下量が異なり、前者の方が大きくなる。そこで、本第４実施例の画像表示装置の駆動方法は、輝度レベルの偏差（ばらつき）σを用いてそれらを区別し、前者の（偏差σが小さい）場合は補正量ｙを小さく、後者の（偏差σが大きい）場合は補正量ｙを大きくなるよう制御することで、補正精度を向上させようとするものである。
【００７７】
図１４の例では、ｙ＝ｆ（ｘ）の直線に対してｇ（σ）を乗算することでその直線以下の全ての領域をカバーするようになっている。そして、本第４実施例の画像表示装置の駆動方法によれば、ｇ（σ）は偏差σが大きい場合は補正量を大きくし、逆に、偏差σが小さい場合は補正量を小さくするように働き、映像内容に応じた適切な補正が可能となる。
【００７８】
以上の説明において、本発明は、例えば、プラズマディスプレイ装置等の複数の画素を有する表示パネルにおける所定数の画素毎または所定の表示領域毎に共通の駆動電極で駆動する画像表示装置に対して幅広く適用することができ、カラー表示を行う画像表示装置だけでなく、黒白表示を行う画像表示装置に対しても適用することができる。また、本実施例において、Ｒ，Ｇ，Ｂ信号から算出すると説明してきたが、テレビ等で用いられるＹ信号（輝度信号）から算出してもよいのはもちろんである。また、補正関数を求めるために、ライン平均輝度レベルや全面平均輝度レベル、さらにはばらつきσなどを用いるが、各サブフィールド毎にライン負荷を求めて輝度低下を予測する方法も可能であることは言うまでもない。
【００７９】
（付記１）  表示パネルにおける任意の画素に対して、同じ輝度レベルの信号を入力して表示させる場合において、当該画素を含むラインのライン負荷率が変わったときに１フィールド内でのサブフィールドの点灯パターンを変化させることを特徴とする画像表示装置の駆動方法。
【００８０】
（付記２）  複数の画素を有する表示パネルにおける所定数の画素毎または所定の表示領域毎に共通の駆動電極で駆動する画像表示装置の駆動方法であって、
前記共通の駆動電極毎に、表示される画像に応じて明るさに関連する関数量を算出し、
該算出された関数量に基づいて、前記共通の駆動電極により駆動される前記所定数の画素または所定の表示領域に表示される画像の明るさを補正することを特徴とする画像表示装置の駆動方法。
【００８１】
（付記３）  付記２に記載の画像表示装置の駆動方法において、前記関数量の算出は、入力された映像信号における前記共通の駆動電極により駆動される前記所定数の画素または所定の表示領域に対応する信号の平均輝度レベルを算出して行うことを特徴とする画像表示装置の駆動方法。
【００８２】
（付記４）  付記２に記載の画像表示装置の駆動方法において、前記関数量の算出は、入力された映像信号における前記共通の駆動電極により駆動される前記所定数の画素または所定の表示領域に対応する信号の平均輝度レベル、および、前記入力された映像信号における画面全体に対応する信号の全面平均輝度レベルを算出して行うことを特徴とする画像表示装置の駆動方法。
【００８３】
（付記５）  付記４に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＡとしたとき、前記補正量ｙは、ｙ＝Ａ・ｆ（ｘ）を満たすことを特徴とする画像表示装置の駆動方法。
【００８４】
（付記６）  付記４に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＣとしたとき、前記補正量ｙは、ｙ＝ｆ（Ｃ・ｘ）を満たすことを特徴とする画像表示装置の駆動方法。
【００８５】
（付記７）  付記２に記載の画像表示装置の駆動方法において、前記関数量の算出は、入力された映像信号における前記共通の駆動電極により駆動される前記所定数の画素または所定の表示領域に対応する信号の平均輝度レベル、前記入力された映像信号における画面全体に対応する信号の全面平均輝度レベル、および、前記画面全体に対応する信号における所定の階調よりも高い高階調率を算出して行うことを特徴とする画像表示装置の駆動方法。
【００８６】
（付記８）  付記７に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された第１の関数量をｆ１（ｘ）、第２の関数量をｆ２（ｘ）とし、且つ、前記高階調率に応じて変化する係数をＢとしたとき、前記補正量ｙは、ｙ＝Ｂ・ｆ１（ｘ）＋（１−Ｂ）・ｆ２（ｘ）を満たすことを特徴とする画像表示装置の駆動方法。
【００８７】
（付記９）  付記２に記載の画像表示装置の駆動方法において、前記関数量の算出は、入力された映像信号における前記共通の駆動電極により駆動される前記所定数の画素または所定の表示領域に対応する信号の平均輝度レベル、および、前記共通の駆動電極により駆動される前記所定数の画素または所定の表示領域における輝度レベルのばらつき量を算出して行うことを特徴とする画像表示装置の駆動方法。
【００８８】
（付記１０）  付記９に記載の画像表示装置の駆動方法において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、前記所定数の画素または所定の表示領域における輝度レベルのばらつき量をσ、および、前記ばらつき量σにより算出された関数量をｇ（σ）としたとき、前記補正量ｙは、ｙ＝ｆ（ｘ）・ｇ（σ）を満たすことを特徴とする画像表示装置の駆動方法。
【００８９】
（付記１１）  付記２に記載の画像表示装置の駆動方法において、前記関数量の算出は、入力された映像信号における前記共通の駆動電極により駆動される前記所定数の画素または所定の表示領域に対応する信号の電圧降下に関連するデータ量を算出して行うことを特徴とする画像表示装置の駆動方法。
【００９０】
（付記１２）  付記２に記載の画像表示装置の駆動方法において、前記明るさの補正は、入力された映像信号のゲインを調整して前記共通の駆動電極により駆動される前記所定数の画素または所定の表示領域に表示される画像の明るさを補正して行うことを特徴とする画像表示装置の駆動方法。
【００９１】
（付記１３）  付記２に記載の画像表示装置の駆動方法において、前記明るさの補正は、入力された映像信号のガンマ特性を調整して前記共通の駆動電極により駆動される前記所定数の画素または所定の表示領域に表示される画像の明るさを補正して行うことを特徴とする画像表示装置の駆動方法。
【００９２】
（付記１４）  付記２に記載の画像表示装置の駆動方法において、前記明るさの補正は、前記算出された関数量に応じて略線形の特性で前記共通の駆動電極により駆動される前記所定数の画素または所定の表示領域に表示される画像の明るさを補正して行うことを特徴とする画像表示装置の駆動方法。
【００９３】
（付記１５）  付記２に記載の画像表示装置の駆動方法において、前記明るさの補正は、前記算出された関数量に応じて非線形の特性で前記共通の駆動電極により駆動される前記所定数の画素または所定の表示領域に表示される画像の明るさを補正して行うことを特徴とする画像表示装置の駆動方法。
【００９４】
（付記１６）  付記２に記載の画像表示装置の駆動方法において、前記明るさの補正は、前記算出された関数量に応じて略線形の特性の組み合わせ関数で前記共通の駆動電極により駆動される前記所定数の画素または所定の表示領域に表示される画像の明るさを補正して行うことを特徴とする画像表示装置の駆動方法。
【００９５】
（付記１７）  付記２に記載の画像表示装置の駆動方法において、前記明るさの補正は、該画像表示装置に表示される映像内容に応じて、前記共通の駆動電極により駆動される前記所定数の画素または所定の表示領域に表示される画像の明るさの制御機能を段階的または連続的にオン／オフして補正を行うことを特徴とする画像表示装置の駆動方法。
【００９６】
（付記１８）  付記２に記載の画像表示装置の駆動方法において、前記明るさの補正は、該画像表示装置が使用される用途に応じて、前記共通の駆動電極により駆動される前記所定数の画素または所定の表示領域に表示される画像の明るさの制御機能を段階的または連続的にオン／オフして補正を行うことを特徴とする画像表示装置の駆動方法。
【００９７】
（付記１９）  付記２に記載の画像表示装置の駆動方法において、前記関数量の算出および前記明るさの補正は、自動電力制御が有効な場合と無効な場合で補正量を段階的または連続的に切り替えることを特徴とする画像表示装置の駆動方法。
【００９８】
（付記２０）  付記２に記載の画像表示装置の駆動方法において、前記関数量の算出および前記明るさの補正は、画面全体の負荷率または維持放電パルス数に応じて活性化が制御されることを特徴とする画像表示装置の駆動方法。
【００９９】
（付記２１）  付記２に記載の画像表示装置の駆動方法において、前記関数量の算出は、入力された映像信号における前記共通の駆動電極により駆動される前記所定数の画素または所定の表示領域に対応する信号を所定の輝度の重みを有する複数のサブフィールドの組み合わせに変換した後の各サブフィールドのライン毎の負荷率を算出して行うことを特徴とする画像表示装置の駆動方法。
【０１００】
（付記２２）  付記２に記載の画像表示装置の駆動方法において、前記関数量の算出は、入力された映像信号における前記共通の駆動電極により駆動される前記所定数の画素または所定の表示領域に対応する信号を所定の輝度の重みを有する複数のサブフィールドの組み合わせに変換した後の各サブフィールドのライン毎の負荷率を算出して行うことを特徴とする画像表示装置。
【０１０１】
（付記２３）  複数の画素を有する表示パネルを用いた画像表示装置であって、
表示パネルにおける任意の画素に対して、同じ輝度レベルの信号を入力して表示させる場合において、当該画素を含むラインのライン負荷率を算出する負荷算出手段と、
１フィールド内でのサブフィールドの点灯パターンを変化させて輝度を補正する補正手段と、を備えることを特徴とする画像表示装置。
【０１０２】
（付記２４）  複数の画素を有する表示パネルを用いた画像表示装置において、
１つの駆動電極に接続された複数の画素毎に、その負荷率を算出する負荷算出手段と、
前記負荷算出手段の出力に基づいて、入力映像信号の輝度レベルの降下量を算出して補正する輝度補正手段と、を備えることを特徴とする画像表示装置。
【０１０３】
（付記２５）  付記２３に記載の画像表示装置において、前記輝度補正手段は、前記入力映像信号の電圧の降下量を算出して補正することを特徴とする画像表示装置。
【０１０４】
（付記２６）  付記２３に記載の画像表示装置において、前記負荷算出手段および前記輝度補正手段は、自動電力制御が有効な場合に活性化され、該自動電力制御が無効な場合には非活性とされることを特徴とする画像表示装置。
【０１０５】
（付記２７）  付記２３に記載の画像表示装置において、前記負荷算出手段および前記輝度補正手段は、画面全体の負荷率または維持放電パルス数に応じて活性化が制御されることを特徴とする画像表示装置。
【０１０６】
（付記２８）
複数の画素を有する表示パネルにおける所定数の画素毎または所定の表示領域毎に共通の駆動電極で駆動する画像表示装置であって、
前記共通の駆動電極毎に、表示される画像に応じて明るさに関連する関数量を算出する算出手段と、
該算出手段の出力に基づいて、前記共通の駆動電極により駆動される前記所定数の画素または所定の表示領域に表示される画像の明るさを補正する補正手段と、を備えることを特徴とする画像表示装置。
【０１０７】
（付記２９）  付記２８に記載の画像表示装置において、前記算出手段は、入力された映像信号における前記共通の駆動電極により駆動される前記所定数の画素または所定の表示領域に対応する信号の平均輝度レベルを算出することを特徴とする画像表示装置。
【０１０８】
（付記３０）  付記２８に記載の画像表示装置において、前記算出手段は、入力された映像信号における前記共通の駆動電極により駆動される前記所定数の画素または所定の表示領域に対応する信号の電圧降下に関連するデータ量を算出することを特徴とする画像表示装置。
【０１０９】
（付記３１）  付記２８に記載の画像表示装置において、前記算出手段は、入力された映像信号における前記共通の駆動電極により駆動される前記所定数の画素または所定の表示領域に対応する信号の平均輝度レベル、および、前記入力された映像信号における画面全体に対応する信号の全面平均輝度レベルを算出して行うことを特徴とする画像表示装置。
【０１１０】
（付記３２）  付記３１に記載の画像表示装置において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＡとしたとき、前記補正量ｙは、ｙ＝Ａ・ｆ（ｘ）を満たすことを特徴とする画像表示装置。
【０１１１】
（付記３３）  付記３１に記載の画像表示装置において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、且つ、前記全面平均輝度レベルに応じて変化する係数をＣとしたとき、前記補正量ｙは、ｙ＝ｆ（Ｃ・ｘ）を満たすことを特徴とする画像表示装置。
【０１１２】
（付記３４）  付記３１に記載の画像表示装置において、前記算出手段は、入力された映像信号における前記共通の駆動電極により駆動される前記所定数の画素または所定の表示領域に対応する信号の平均輝度レベル、前記入力された映像信号における画面全体に対応する信号の全面平均輝度レベル、および、前記画面全体に対応する信号における所定の階調よりも高い高階調率を算出して行うことを特徴とする画像表示装置。
【０１１３】
（付記３５）  付記３４に記載の画像表示装置において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された第１の関数量をｆ１（ｘ）、第２の関数量をｆ２（ｘ）とし、且つ、前記高階調率に応じて変化する係数をＢとしたとき、前記補正量ｙは、ｙ＝Ｂ・ｆ１（ｘ）＋（１−Ｂ）・ｆ２（ｘ）を満たすことを特徴とする画像表示装置。
【０１１４】
（付記３６）  付記２８に記載の画像表示装置において、前記算出手段は、入力された映像信号における前記共通の駆動電極により駆動される前記所定数の画素または所定の表示領域に対応する信号の平均輝度レベル、および、前記共通の駆動電極により駆動される前記所定数の画素または所定の表示領域における輝度レベルのばらつき量を算出して行うことを特徴とする画像表示装置。
【０１１５】
（付記３７）  付記３６に記載の画像表示装置において、前記所定数の画素または所定の表示領域に対応する信号の平均輝度レベルをｘ、前記所定数の画素または所定の表示領域に表示される画像の明るさの補正量をｙ、前記平均輝度レベルｘにより算出された関数量をｆ（ｘ）、前記所定数の画素または所定の表示領域における輝度レベルのばらつき量をσ、および、前記ばらつき量σにより算出された関数量をｇ（σ）としたとき、前記補正量ｙは、ｙ＝ｆ（ｘ）・ｇ（σ）を満たすことを特徴とする画像表示装置。
【０１１６】
（付記３８）  付記２８に記載の画像表示装置において、前記補正手段は、入力された映像信号のゲインを調整して前記共通の駆動電極により駆動される前記所定数の画素または所定の表示領域に表示される画像の明るさを補正することを特徴とする画像表示装置。
【０１１７】
（付記３９）  付記２８に記載の画像表示装置において、前記補正手段は、入力された映像信号のガンマ特性を調整して前記共通の駆動電極により駆動される前記所定数の画素または所定の表示領域に表示される画像の明るさを補正することを特徴とする画像表示装置。
【０１１８】
（付記４０）  付記２８に記載の画像表示装置において、前記補正手段は、前記算出手段の出力に応じて略線形の特性で前記共通の駆動電極により駆動される前記所定数の画素または所定の表示領域に表示される画像の明るさを補正することを特徴とする画像表示装置。
【０１１９】
（付記４１）  付記２８に記載の画像表示装置において、前記補正手段は、前記算出手段の出力に応じて非線形の特性で前記共通の駆動電極により駆動される前記所定数の画素または所定の表示領域に表示される画像の明るさを補正することを特徴とする画像表示装置。
【０１２０】
（付記４２）  付記２８に記載の画像表示装置において、前記補正手段は、前記算出手段の出力に応じて略線形の特性の組み合わせ関数で前記共通の駆動電極により駆動される前記所定数の画素または所定の表示領域に表示される画像の明るさを補正することを特徴とする画像表示装置。
【０１２１】
（付記４３）  付記２８に記載の画像表示装置において、前記補正手段は、該画像表示装置に表示される映像内容に応じて、前記共通の駆動電極により駆動される前記所定数の画素または所定の表示領域に表示される画像の明るさの制御機能を段階的または連続的にオン／オフして補正することを特徴とする画像表示装置。
【０１２２】
（付記４４）  付記２８に記載の画像表示装置において、前記補正手段は、該画像表示装置が使用される用途に応じて、前記共通の駆動電極により駆動される前記所定数の画素または所定の表示領域に表示される画像の明るさの制御機能を段階的または連続的にオン／オフして補正することを特徴とする画像表示装置。
【０１２３】
（付記４５）  付記２８に記載の画像表示装置において、前記算出手段および前記補正手段は、自動電力制御が有効な場合に活性化され、該自動電力制御が無効な場合には非活性とされることを特徴とする画像表示装置。
【０１２４】
（付記４６）  付記２８に記載の画像表示装置において、前記負荷算出手段および前記輝度補正手段は、画面全体の負荷率または維持放電パルス数に応じて活性化が制御されることを特徴とする画像表示装置。
【産業上の利用可能性】
【０１２５】
本発明は、例えば、パーソナルコンピュータやワークステーション等のディスプレイ装置、平面型の壁掛けテレビジョンおよび広告や情報等を表示するための装置として利用されるプラズマディスプレイ装置、或いは、ＥＬパネル等の複数の画素を有する表示パネルにおける所定数の画素毎または所定の表示領域毎に共通の駆動電極で駆動する画像表示装置に対して幅広く適用することができる。
【図面の簡単な説明】
【０１２６】
【図１】従来の画像表示装置の一例としてのプラズマディスプレイ装置を概略的に示すブロック図である。
【図２】従来の画像表示装置における課題を説明するための図である。
【図３】本発明に係る画像表示装置の一実施例としてのプラズマディスプレイ装置を概略的に示すブロック図である。
【図４】図３に示す画像表示装置における輝度補正手段および負荷算出手段を示すブロック図である。
【図５】本発明に係る画像表示装置の駆動方法の原理を説明するための図（その１）である。
【図６】本発明に係る画像表示装置の駆動方法の原理を説明するための図（その２）である。
【図７】本発明に係る画像表示装置の駆動方法の一例を説明するための図である。
【図８】図４に示す画像表示装置における補正量算出手段で用いる平均輝度レベルと補正量の特性例を説明するための図である。
【図９】本発明を、自動電力制御機能を有する画像表示装置に適用した場合の例を説明するための図である。
【図１０】本発明に係る画像表示装置の駆動方法におけるさらなる改良を説明するための図である。
【図１１】本発明に係る画像表示装置の駆動方法の第１実施例を説明するための図である。
【図１２】本発明に係る画像表示装置の駆動方法の第２実施例を説明するための図である。
【図１３】本発明に係る画像表示装置の駆動方法の第３実施例を説明するための図である。
【図１４】本発明に係る画像表示装置の駆動方法の第４実施例を説明するための図である。
【符号の説明】
【０１２７】
１，１０    画像表示装置（プラズマディスプレイ装置）
２    表示パネル（プラズマディスプレイパネル：ＰＤＰ）
３    アドレスデータドライバ回路部
４    Ｘドライバ回路部
５    Ｙドライバ回路部
６    駆動回路部
７    制御回路部
７１    表示データ制御部
７２    タイミング発生部
８    補正処理回路部
８１    輝度補正手段（補正手段）
８２    負荷算出手段（算出手段）
８１１    遅延手段
８１２    補正手段
８１３    補正量算出手段
【図１】
2006184843.tif 000004
【図２】
2006184843.tif 000005
【図３】
2006184843.tif 000006
【図４】
2006184843.tif 000007
【図５】
2006184843.tif 000008
【図６】
2006184843.tif 000009
【図７】
2006184843.tif 000010
【図８】
2006184843.tif 000011
【図９】
2006184843.tif 000012
【図１０】
2006184843.tif 000013
【図１１】
2006184843.tif 000014
【図１２】
2006184843.tif 000015
【図１３】
2006184843.tif 000016
【図１４】
2006184843.tif 000017